(57)【要約】  空気調和機は、異なる複数の方向にそれぞれ空気を吹き出す複数の吹出口に対応してそれぞれ設けられ、並列に接続された複数の室内熱交換器と、複数の室内熱交換器の冷媒の出入口側にそれぞれ設けられ、冷媒の通過および遮断を行う複数の電磁弁と、複数の吹出口に対応してそれぞれ設けられた複数の送風機とを有する室内機と、選択運転を行う場合に、選択されていない吹出口に対応する室内熱交換器の出入口側に設けられた電磁弁を閉じるとともに、選択されていない吹出口に対応する送風機を停止させる制御装置とを備える。
2019087353.tif 000002
【特許請求の範囲】
【請求項１】
異なる複数の方向にそれぞれ空気を吹き出す複数の吹出口と、
複数の前記吹出口に対応してそれぞれ設けられ、並列に接続された複数の室内熱交換器と、
複数の前記室内熱交換器の冷媒の出入口側にそれぞれ設けられ、前記冷媒の通過および遮断を行う複数の電磁弁と、
複数の前記吹出口に対応してそれぞれ設けられた複数の送風機と
を有する室内機と、
複数の前記吹出口のうち選択された吹出口から空気を吹き出す選択運転を行う場合に、選択されていない吹出口に対応する前記室内熱交換器の出入口側に設けられた前記電磁弁を閉じるとともに、選択されていない前記吹出口に対応する送風機を停止させる制御装置と
を備える
空気調和機。
【請求項２】
前記室内機は、
複数の前記吹出口のそれぞれに設けられた複数のフラップをさらに有し、
前記制御装置は、
前記選択運転を行う場合に、選択されていない前記吹出口に設けられた前記フラップを閉じる
請求項１に記載の空気調和機。
【請求項３】
すべての前記吹出口から空気を吹き出す通常運転または前記選択運転とのいずれかの運転を指示するリモートコントローラをさらに備える
請求項１または２に記載の空気調和機。
【発明の詳細な説明】
【技術分野】
【０００１】
本発明は、異なる方向に空気を吹き出す空気調和機に関するものである。
【背景技術】
【０００２】
従来、異なる２つの方向に空気を吹き出すことができる空気調和機の室内機において、異なる方向毎に風量の大小を切り替えるように制御することが提案されている（例えば、特許文献１参照）。特許文献１に記載の空気調和機の室内機では、リモートコントローラで選択されたモードに応じて、２つの吹出口から吹き出される空気の風量を制御する。また、２つの熱交換器と各熱交換器の近傍に温度センサが室内機に設けられ、室内機は、各温度センサによる検知温度のうち高い方の検知温度に応じて、２つの吹出口から吹き出される空気の風量を制御する。
【先行技術文献】
【特許文献】
【０００３】
【特許文献１】特開平６−１３７６３３号公報
【発明の概要】
【発明が解決しようとする課題】
【０００４】
しかしながら、特許文献１に記載の方法では、２つの吹出口から吹き出される空気の風量を切り替えるため、室内機は、人が存在しない方向等の、空調が不要な方向に対しても空気を吹き出すように制御する。【０００５】
また、例え空気の吹き出しを停止することができる場合であっても、室内機は、吹き出しを停止する吹出口に対応するクロスフローファンを停止させるものであり、熱交換器への冷媒の流入を制御するものではない。すなわち、クロスフローファンを停止させた場合でも、熱交換器に対しては冷媒が流入する状態となる。そのため、停止したクロスフローファンに対応する熱交換器は、室内空気を取り入れることができず、室内空気と冷媒との間で熱交換を行うことができない。このように、熱交換を行うことができない熱交換器には、冷媒温度が極低温または高温の冷媒が流入することになり、これによって熱交換器の凍結、または異常な圧力上昇等が発生する虞がある。【０００６】
本発明は、上記従来の技術における課題に鑑みてなされたものであって、複数の吹出口から吹き出される空気の風量を個別に運転させる際の異常を抑制することができる空気調和機を提供することを目的とする。
【課題を解決するための手段】
【０００７】
本発明の空気調和機は、異なる複数の方向にそれぞれ空気を吹き出す複数の吹出口と、複数の前記吹出口に対応してそれぞれ設けられ、並列に接続された複数の室内熱交換器と、複数の前記室内熱交換器の冷媒の出入口側にそれぞれ設けられ、前記冷媒の通過および遮断を行う複数の電磁弁と、複数の前記吹出口に対応してそれぞれ設けられた複数の送風機とを有する室内機と、複数の前記吹出口のうち選択された吹出口から空気を吹き出す選択運転を行う場合に、選択されていない吹出口に対応する前記室内熱交換器の出入口側に設けられた前記電磁弁を閉じるとともに、選択されていない前記吹出口に対応する送風機を停止させる制御装置とを備えるものである。
【発明の効果】
【０００８】
以上のように本発明によれば、選択運転の際に選択されていない吹出口に対応する室内熱交換器の出入口側の電磁弁を閉じるとともに、室内送風機を停止させることにより、複数の吹出口から吹き出される空気の風量を個別に運転際の異常を抑制することができる。
【図面の簡単な説明】
【０００９】
【図１】実施の形態１に係る空気調和機の構成の一例を示す概略図である。
【図２】図１の制御装置の構成の一例を示す機能ブロック図である。
【図３】実施の形態１に係る室内機を側面から見た場合の内部構造の一例を示す模式図である。
【図４】実施の形態１に係る室内機における片側運転処理の流れの一例を示すフローチャートである。
【発明を実施するための形態】
【００１０】
実施の形態１．
以下、本発明の実施の形態１に係る空気調和機について説明する。図１は、本実施の形態１に係る空気調和機１００の構成の一例を示す概略図である。図１に示すように、空気調和機１００は、室外機１、室内機２、制御装置３およびリモートコントローラ４で構成されている。室外機１と室内機２とが冷媒配管で接続されることにより、冷媒回路が形成される。なお、図１に示す例では、室外機１に対して１台の室内機２が接続されているが、これに限られず、複数の室内機２が接続されてもよい。
【００１１】
［空気調和機１００の構成］
（室外機１）
室外機１は、圧縮機１１、冷媒流路切替装置１２、室外熱交換器１３および膨張弁１４を備えている。圧縮機１１は、低温低圧の冷媒を吸入し、吸入した冷媒を圧縮し、高温高圧の冷媒を吐出する。圧縮機１１は、例えば、圧縮機周波数を変化させることにより、単位時間あたりの送出量である容量が制御されるインバータ圧縮機等からなる。圧縮機１１の圧縮機周波数は、制御装置３によって制御される。
【００１２】
冷媒流路切替装置１２は、例えば四方弁であり、冷媒の流れる方向を切り替えることにより、冷房運転および暖房運転の切り替えを行う。冷媒流路切替装置１２は、冷房運転時に、図１の実線で示すように、圧縮機１１の吐出側と室外熱交換器１３とが接続されるように切り替わる。また、冷媒流路切替装置１２は、暖房運転時に、図１の破線で示すように、圧縮機１１の吐出側と室内機２側とが接続されるように切り替わる。冷媒流路切替装置１２における流路の切替は、制御装置３によって制御される。
【００１３】
室外熱交換器１３は、図示しないファン等によって供給される室外空気と冷媒との間で熱交換を行う。室外熱交換器１３は、冷房運転の際に、冷媒の熱を室外空気に放熱して冷媒を凝縮させる凝縮器として機能する。また、室外熱交換器１３は、暖房運転の際に、冷媒を蒸発させ、その際の気化熱により室外空気を冷却する蒸発器として機能する。
【００１４】
膨張弁１４は、冷媒を膨張させる。膨張弁１４は、例えば、電子式膨張弁等の開度の制御が可能な弁で構成される。膨張弁１４の開度は、制御装置３によって制御される。
【００１５】
（室内機２）
室内機２は、室内熱交換器２１ａおよび２１ｂ、電磁弁２２ａおよび２２ｂ、電磁弁２３ａおよび２３ｂ、ならびに室内送風機２４ａおよび２４ｂを備えている。
【００１６】
室内熱交換器２１ａは、室内送風機２４ａによって供給される室内空気と冷媒との間で熱交換を行う。室内熱交換器２１ｂは、室内送風機２４ｂによって供給される室内空気と冷媒との間で熱交換を行う。これにより、室内空間に供給される調和空気である冷房用空気または暖房用空気が生成される。室内熱交換器２１ａおよび２１ｂは、互いに並列に接続されている。室内熱交換器２１ａおよび２１ｂは、冷房運転の際に、冷媒を蒸発させ、冷媒が蒸発した際の気化熱により室内空気を冷却する蒸発器として機能する。また、室内熱交換器２１ａおよび２１ｂは、暖房運転の際に、冷媒の熱を室内空気に放熱して冷媒を凝縮させる凝縮器として機能する。
【００１７】
電磁弁２２ａは、室内熱交換器２１ａの冷媒の出入口側の一方に設けられ、開閉することによって冷媒の通過または遮断を行う。電磁弁２２ｂは、室内熱交換器２１ａの冷媒の出入口側の他方に設けられ、開閉することによって冷媒の通過または遮断を行う。電磁弁２３ａは、室内熱交換器２１ｂの冷媒の出入口側の一方に設けられ、開閉することによって冷媒の通過または遮断を行う。電磁弁２３ｂは、室内熱交換器２１ｂの冷媒の出入口側の他方に設けられ、開閉することによって冷媒の通過または遮断を行う。電磁弁２２ａおよび２２ｂ、ならびに電磁弁２３ａおよび２３ｂの開閉は、制御装置３によって制御される。
【００１８】
電磁弁２２ａと電磁弁２３ａとは、制御装置３の制御により、連動して開閉動作を行う。具体的には、電磁弁２２ａおよび電磁弁２３ａは、室内熱交換器２１ａに対する冷媒の入口側に設けられた電磁弁２２ａおよび電磁弁２３ａのうち一方が閉じた後に、冷媒の出口側に設けられた電磁弁２２ａおよび電磁弁２３ａのうち他方が閉じる。
【００１９】
同様に、電磁弁２２ｂと電磁弁２３ｂとは、制御装置３の制御により、連動して開閉動作を行う。具体的には、電磁弁２２ｂおよび電磁弁２３ｂは、室内熱交換器２１ｂに対する冷媒の入口側に設けられた電磁弁２２ｂおよび電磁弁２３ｂのうち一方が閉じた後に、冷媒の出口側に設けられた電磁弁２２ｂおよび電磁弁２３ｂのうち他方が閉じる。
【００２０】
室内送風機２４ａは、室内熱交換器２１ａに対して空気を供給する。室内送風機２４ｂは、室内熱交換器２１ｂに対して空気を供給する。室内送風機２４ａおよび２４ｂの回転数は、制御装置３によって制御される。回転数が制御されることにより、室内熱交換器２１ａおよび２１ｂに対する送風量が調整される。室内送風機２４ａおよび２４ｂとして、例えば、モータによって駆動されるクロスフローファン等が用いられる。
【００２１】
（制御装置３）
制御装置３は、例えば、リモートコントローラ４に対する使用者の操作による設定、ならびに空気調和機１００の各部から受け取る各種情報に基づき、室外機１および室内機２を含む空気調和機１００全体の動作を制御する。具体的には、制御装置３は、リモートコントローラ４からの各種設定内容を示す操作信号に基づき、圧縮機１１の圧縮機周波数および膨張弁１４の開度等を制御する。特に、本実施の形態１において、制御装置３は、リモートコントローラ４から片側運転を指示する操作信号を受け取った場合に、室内送風機２４ａおよび２４ｂの回転数、電磁弁２２ａおよび２２ｂならびに電磁弁２３ａおよび２３ｂの開閉を制御する。
【００２２】
制御装置３は、マイクロコンピュータなどの演算装置上でソフトウェアを実行することにより各種機能が実現され、もしくは各種機能を実現する回路デバイスなどのハードウェア等で構成されている。なお、この例において、制御装置３は、室外機１および室内機２の外部に設けられているが、これに限られず、室外機１および室内機２のいずれかに設けられてもよい。
【００２３】
図２は、図１の制御装置３の構成の一例を示す機能ブロック図である。図２に示すように、制御装置３は、運転決定部３１および動作制御部３２を備えている。
【００２４】
運転決定部３１は、リモートコントローラ４の操作部４１から受け取った操作信号に基づき、空気調和機１００の運転動作を決定する。運転決定部３１は、操作信号に基づき、空気調和機１００を通常運転または片側運転のいずれで運転させるか決定する。ここで、通常運転は、室内機２に設けられたすべての吹出口から空気を吹き出すようにする運転を示す。片側運転は、２つの吹出口のうち、いずれか一方の吹出口から空気を吹き出すようにする運転を示す。なお、「片側運転」は、本発明における「選択運転」に対応する。
【００２５】
動作制御部３２は、運転決定部３１で決定された運転動作に応じて、室内送風機２４ａおよび２４ｂの回転数、電磁弁２２ａおよび２２ｂならびに電磁弁２３ａおよび２３ｂの開閉を制御するための制御信号を生成し、それぞれに供給する。
【００２６】
（リモートコントローラ４）
図１のリモートコントローラ４は、ユーザが操作することにより、運転モード設定、温度設定、風量設定等の各種設定を行い、空気調和機１００の動作を制御する。リモートコントローラ４は、ユーザの操作に応じた操作信号を制御装置３に送信する。
【００２７】
リモートコントローラ４は、操作部４１および表示部４２を有している。操作部４１は、ユーザによって操作されるボタン等で構成されている。操作部４１は、ユーザの操作に応じた操作信号を生成し、制御装置３に対して送信する。
【００２８】
特に、本実施の形態１では、複数の吹出口のいずれかを選択して運転させる片側運転を行うための操作を行うことができる。片側運転を行うために、ユーザが吹出口を選択する操作を行った場合、操作部４１は、片側運転を行うことを示す情報と選択された吹出口を示す情報とを含む操作信号を生成し、制御装置３に対して送信する。
【００２９】
表示部４２は、例えば、ＬＣＤ（Ｌｉｑｕｉｄ  Ｃｒｙｓｔａｌ  Ｄｉｓｐｌａｙ）等で構成されている。表示部４２は、操作部４１に対する操作によって設定された内容を示す情報、例えば運転モード、設定温度、および風量等を表示する。
【００３０】
［室内機２の構造］
図３は、本実施の形態１に係る室内機２を側面から見た場合の内部構造の一例を示す模式図である。図３に示すように、室内機２の本体２００における底面の中央近傍には、室内機２の周囲の空気を吸い込むための吸込口２１０が形成されている。
【００３１】
また、本体２００における底面の辺縁には、室内機２の内部に吸い込んだ空気を外部に吹き出すための複数の吹出口２２０ａおよび２２０ｂが形成されている。この例では、底面の対向する２つの辺縁のそれぞれに吹出口２２０ａおよび２２０ｂが形成されている。２つの吹出口２２０ａおよび２２０ｂは、互いに異なる方向に対して空気を吹き出すようにされている。
【００３２】
吹出口２２０ａには、吹出口２２０ａの開閉を行うためのフラップ２４０ａが設けられている。フラップ２４０ａの開閉は、制御装置３によって制御される。フラップ２４０ａは、吹出口２２０ａの開閉の他に、吹出口２２０ａから吹き出される空気の上下方向（ｙ方向）の風向を変更する上下風向板としての機能を有している。
【００３３】
吹出口２２０ｂには、吹出口２２０ｂの開閉を行うためのフラップ２４０ｂが設けられている。フラップ２４０ｂの開閉は、制御装置３によって制御される。フラップ２４０ｂは、吹出口２２０ｂの開閉の他に、吹出口２２０ａから吹き出される空気の上下方向（ｙ方向）の風向を変更する上下風向板としての機能を有している。
【００３４】
本体２００の内部には、吸込口２１０から吹出口２２０ａに通じる風路２３０ａが形成されている。風路２３０ａ上には、室内熱交換器２１ａと室内送風機２４ａとが配置されている。室内熱交換器２１ａは、例えば、風路２３０ａを流れる空気の貫流に向かって開くようにＶ字形状に形成されている。室内送風機２４ａは、吸込口２１０から室内空気を取り込み、周囲に配置された室内熱交換器２１ａを通過させて吹出口２２０ａから熱交換された空気を送り出す。
【００３５】
また、本体２００の内部には、吸込口２１０から吹出口２２０ｂに通じる風路２３０ｂが形成されている。風路２３０ｂ上には、室内熱交換器２１ｂと室内送風機２４ｂとが配置されている。室内熱交換器２１ｂは、例えば、風路２３０ｂを流れる空気の貫流に向かって開くようにＶ字形状に形成されている。室内送風機２４ｂは、吸込口２１０から室内空気を取り込み、周囲に配置された室内熱交換器２１ｂを通過させて吹出口２２０ｂから熱交換された空気を送り出す。
【００３６】
さらに、本体２００の内部には、電磁弁２２ａおよび２２ｂならびに電磁弁２３ａおよび２３ｂが設けられている。電磁弁２２ａは、室内熱交換器２１ａの冷媒の出入口の一方に接続されている。電磁弁２３ａは、室内熱交換器２１ａの冷媒の出入口の他方に接続されている。電磁弁２２ｂは、室内熱交換器２１ｂの冷媒の出入口の一方に接続されている。電磁弁２３ｂは、室内熱交換器２１ｂの冷媒の出入口の他方に接続されている。
【００３７】
［空気調和機１００の動作］
次に、上記構成を有する空気調和機１００における冷媒の動作について、図１を参照しながら説明する。図１に示す例において、実線の矢印は、冷房運転時の冷媒の流れを示す。破線の矢印は、暖房運転時の冷媒の流れを示す。
【００３８】
（冷房運転）
冷房運転時、冷媒流路切替装置１２は、図１の実線で示すように、圧縮機１１の吐出側と室外熱交換器１３とが接続されるように切り替えられる。そして、低温低圧の冷媒が圧縮機１１によって圧縮され、高温高圧のガス冷媒となって吐出される。
【００３９】
圧縮機１１から吐出された高温高圧のガス冷媒は、冷媒流路切替装置１２を介して室外熱交換器１３に流入する。室外熱交換器１３に流入した高温高圧のガス冷媒は、図示しないファン等によって取り込まれた室外空気と熱交換して放熱しながら凝縮し、高圧の液冷媒となって室外熱交換器１３から流出する。室外熱交換器１３から流出した高圧の液冷媒は、膨張弁１４によって減圧されて低温低圧の気液二相冷媒となり、室外機１から流出する。
【００４０】
室外機１から流出した低温低圧の気液二相冷媒は、室内機２に流入する。室内機２に流入した低温低圧の気液二相冷媒は分岐した後に、電磁弁２２ａおよび２２ｂを介して室内熱交換器２１ａおよび２４ｂのそれぞれに流入する。室内熱交換器２１ａに流入した低温低圧の気液二相冷媒は、室内送風機２４ａによって取り込まれた室内空気と熱交換して吸熱および蒸発し、低圧のガス冷媒となって室内熱交換器２１ａから流出する。また、室内熱交換器２１ｂに流入した低温低圧の気液二相冷媒は、室内送風機２４ｂによって供給された室内空気と熱交換して吸熱および蒸発し、低圧のガス冷媒となって室内熱交換器２１ｂから流出する。
【００４１】
室内熱交換器２１ａおよび２１ｂから流出した低圧のガス冷媒は、電磁弁２３ａおよび２３ｂを介した後に合流し、室内機２から流出する。室内機２から流出した低温低圧のガス冷媒は、室外機１に流入し、冷媒流路切替装置１２を通過して、圧縮機１１へ吸入される。
【００４２】
（暖房運転）
暖房運転時、冷媒流路切替装置１２は、図１の破線で示すように、圧縮機１１の吐出側と室内機２側とが接続されるように切り替えられる。そして、低温低圧の冷媒が圧縮機１１によって圧縮され、高温高圧のガス冷媒となって吐出される。
【００４３】
圧縮機１１から吐出された高温高圧のガス冷媒は、冷媒流路切替装置１２を介して室外機１から流出し、室内機２に流入する。室内機２に流入した高温高圧のガス冷媒は分岐した後に、電磁弁２３ａおよび２３ｂを介して室内熱交換器２１ａおよび２１ｂのそれぞれに流入する。
【００４４】
室内熱交換器２１ａに流入した高温高圧のガス冷媒は、室内送風機２４ａによって取り込まれた室内空気と熱交換して放熱しながら凝縮し、高圧の液冷媒となって室内熱交換器２１ａから流出する。また、室内熱交換器２１ｂに流入した高温高圧のガス冷媒は、室内送風機２４ｂによって取り込まれた室内空気と熱交換して放熱しながら凝縮し、高圧の液冷媒となって室内熱交換器２１ｂから流出する。
【００４５】
室内熱交換器２１ａおよび２１ｂから流出した高圧の液冷媒は、電磁弁２２ａおよび２２ｂを介した後に合流し、室内機２から流出する。室内機２から流出した高圧の液冷媒は、室外機１に流入する。室外機１に流入した高圧の液冷媒は、膨張弁１４によって減圧されて低温低圧の気液二相冷媒となり、室外熱交換器１３に流入する。
【００４６】
室外熱交換器１３に流入した低温低圧の気液二相冷媒は、図示しないファン等によって取り込まれた室外空気と熱交換して吸熱および蒸発し、低圧のガス冷媒となって室外熱交換器１３から流出する。室外熱交換器１３から流出した低圧のガス冷媒は、冷媒流路切替装置１２を通過して、圧縮機１１へ吸入される。
【００４７】
（通常運転と片側運転）
ここで、本実施の形態１では、すべての吹出口２２０ａおよび２２０ｂから空気を吹き出す通常運転と、ユーザによって選択された一部の吹出口２２０ａまたは２２０ｂのみから空気を吹き出す片側運転とが行われる。図１に示す例における空気調和機１００において通常運転を行う場合には、２つの吹出口２２０ａおよび２２０ｂの両方から空気が吹き出される。そのため、電磁弁２２ａおよび２２ｂならびに電磁弁２３ａおよび２３ｂは、開状態とされている。
【００４８】
一方、片側運転を行う場合には、２つの吹出口２２０ａおよび２２０ｂのうち、選択された一方の吹出口２２０ａまたは２２０ｂから空気が吹き出される。そのため、選択されなかった他方の吹出口２２０ａまたは２２０ｂに対応する室内熱交換器２１ａまたは２１ｂの出入口側に設けられた電磁弁２２ａおよび電磁弁２３ａ、または電磁弁２２ｂおよび電磁弁２３ｂは、閉状態とされる。
【００４９】
また、選択されなかった吹出口２２０ａまたは２２０ｂに対応する室内送風機２４ａまたは２４ｂは、停止される。さらに、選択されなかった吹出口２２０ａまたは２２０ｂに設けられたフラップ２４０ａまたは２４０ｂは、閉状態とされる。
【００５０】
具体的には、例えば吹出口２２０ａが選択された場合、選択されなかった吹出口２２０ｂに対応する室内熱交換器２１ｂの出入口側に設けられた電磁弁２２ｂおよび電磁弁２３ｂが閉状態とされる。また、室内熱交換器２１ｂに室内空気を供給する室内送風機２４ｂは停止され、吹出口２２０ｂに設けられたフラップ２４０ｂは閉状態とされる。
【００５１】
［片側運転処理］
本実施の形態１による片側運転時の処理について説明する。図４は、本実施の形態１に係る室内機２における片側運転処理の流れの一例を示すフローチャートである。まず、ステップＳ１で通常運転が行われている状態で、制御装置３は、ステップＳ２において、操作部４１に対するユーザの操作によって受け取った操作信号に基づき、空気調和機１００の片側運転が指示されたか否かを判断する。
【００５２】
片側運転が指示された場合（ステップＳ２；Ｙｅｓ）、ステップＳ３において、制御装置３は、選択されなかった吹出口２２０ａまたは２２０ｂに対応する室内熱交換器２１ａまたは２１ｂの冷媒の入口側の電磁弁２２ａおよび２３ａまたは電磁弁２２ｂおよび２３ｂを閉じる。そして、ステップＳ４において、制御装置３は、選択されなかった吹出口２２０ａまたは２２０ｂに対応する室内熱交換器２１ａまたは２１ｂの冷媒の出口側に設けられた電磁弁２２ａおよび２３ａまたは電磁弁２２ｂおよび２３ｂを閉じる。一方、片側運転が指示されていない場合（ステップＳ２；Ｎｏ）には、処理がステップＳ１に戻り、通常運転が継続される。
【００５３】
次に、ステップＳ５において、制御装置３は、選択されなかった吹出口２２０ａまたは２２０ｂに対応する室内熱交換器２１ａまたは２１ｂに室内空気を送風する室内送風機２４ａまたは２４ｂを停止させる。また、ステップＳ６において、制御装置３は、選択されなかった吹出口２２０ａまたは２２０ｂのフラップ２４０ａまたは２４０ｂを閉じる。このようにして、ステップＳ７において片側運転が行われる。
【００５４】
次に、ステップＳ８において、制御装置３は、操作部４１に対するユーザの操作によって受け取った操作信号に基づき、空気調和機１００の通常運転が指示されたか否かを判断する。通常運転が指示された場合（ステップＳ８；Ｙｅｓ）、制御装置３は、ステップＳ９において、圧縮機１１を停止させる。
【００５５】
また、ステップＳ１０において、制御装置３は、ステップＳ３およびステップＳ４で閉じた電磁弁２２ａおよび２３ａまたは電磁弁２２ｂおよび２３ｂを開く。そして、ステップＳ１１において、制御装置３は、圧縮機１１を運転させる。
【００５６】
一方、ステップＳ８において、通常運転が指示されていない場合（ステップＳ８；Ｎｏ）には、処理がステップＳ７に戻り、片側運転が継続される。以下、ステップＳ１〜ステップＳ１１の処理が繰り返される。
【００５７】
なお、本実施の形態１において、片側運転から通常運転に切り替える際に、制御装置３は、圧縮機１１を停止させてから電磁弁２２ａおよび２３ａまたは電磁弁２２ｂおよび２３ｂを開き、その後圧縮機１１を運転させる。これは、それぞれの室内熱交換器２１ａおよび２１ｂを流れる冷媒の温度差によって生じる結露の発生等を抑制するためである。
【００５８】
圧縮機１１の運転を停止させずに片側運転から通常運転に切り替え、閉じている電磁弁２２ａおよび２３ａまたは電磁弁２２ｂおよび２３ｂを開いた場合、２つの室内熱交換器２１ａおよび２１ｂの間に温度差が生じる。このように、室内熱交換器２１ａおよび２１ｂの間で温度差が生じると、通常、均一の冷媒温度分布となっている室内熱交換器２１ａおよび２１ｂの温度分布のバランスが崩れ、能力の低下あるいは室内機２内部への結露等が発生する可能性がある。そのため、本実施の形態１では、室内熱交換器２１ａおよび２１ｂを流れる冷媒の温度状態をリセットするために、片側運転から通常運転に切り替える際に、圧縮機１１を停止させる。
【００５９】
（具体例）
図４に示す片側運転処理について、具体例を用いて説明する。ここでは、冷房運転時に、吹出口２２０ａからのみ空気を吹き出す片側運転が指示された場合を例にとって説明する。
【００６０】
まず、通常運転が行われている状態（ステップＳ１）において、ユーザの操作部４１に対する操作により、吹出口２２０ａからのみ空気を吹き出す片側運転を行う操作が行われる。操作部４１は、片側運転を行うことを示す情報と吹出口２２０ａが選択されたことを示す情報とを含む操作信号を生成し、制御装置３に対して送信する。
【００６１】
制御装置３は、操作部４１からの操作信号を受信し、受信した操作信号に基づき、空気調和機１００の片側運転が指示されたか否かを判断する（ステップＳ２）。この場合、操作信号には、片側運転を行うことを示す情報と吹出口２２０ａが選択されたことを示す情報とが含まれている。そのため、制御装置３は、吹出口２２０ａからのみ空気を吹き出す片側運転が指示されたと判断する（ステップＳ２；Ｙｅｓ）。
【００６２】
したがって、制御装置３は、選択されなかった吹出口２２０ｂに対応する室内熱交換器２１ｂの冷媒の入口側の電磁弁２２ｂを閉じる（ステップＳ３）。その後、制御装置３は、室内熱交換器２１ｂの冷媒の出口側の電磁弁２３ｂを閉じる（ステップＳ４）。そして、制御装置３は、室内熱交換器２１ｂに対応する室内送風機２４ｂを停止させるとともに、吹出口２２０ｂに設けられたフラップ２４０ｂを閉じる（ステップＳ５、Ｓ６）。これにより、吹出口２２０ａからのみ空気を吹き出す片側運転が行われる（ステップＳ７）。
【００６３】
その後、片側運転が行われている状態で、ユーザの操作部４１に対する操作により、通常運転を行う操作が行われると、操作部４１は、通常運転を行うことを示す情報を含む操作信号を生成し、生成した操作信号を制御装置３に対して送信する。
【００６４】
制御装置３は、操作部４１からの操作信号を受信し、受信した操作信号に基づき、空気調和機１００の通常運転が指示されたか否かを判断する（ステップＳ８）。この場合、操作信号には、通常運転を行うことを示す情報が含まれているため、制御装置３は、通常運転が指示されたと判断する（ステップＳ８；Ｙｅｓ）。したがって、制御装置３は、圧縮機１１を停止させた後に電磁弁２２ｂおよび電磁弁２３ｂを開き、圧縮機１１を運転させる（ステップＳ９〜ステップＳ１１）。
【００６５】
このようにして、本実施の形態１に係る空気調和機１００では、ユーザの指示に基づき、通常運転と片側運転とが切り替えられ、片側運転時において、ユーザによって選択された吹出口２２０ａまたは２２０ｂのみから空気が吹き出される。
【００６６】
以上のように、本実施の形態１に係る空気調和機１００において、制御装置３は、ユーザによるリモートコントローラ４に対する操作に基づき、電磁弁２２ａおよび２２ｂならびに電磁弁２３ａおよび２３ｂの開閉を制御する。そして、片側運転が指示された場合に、選択されなかった吹出口２２０ａまたは２２０ｂに対応する室内熱交換器２１ａまたは２１ｂの出入口側の電磁弁２２ａおよび２３ａまたは電磁弁２２ｂおよび２３ｂを閉じる。また、制御装置３は、選択されなかった吹出口２２０ａまたは２２０ｂに対応する室内送風機２４ａまたは２４ｂを停止させる。
【００６７】
これにより、選択されなかった吹出口２２０ａまたは２２０ｂに対応する室内熱交換器２１ａまたは２１ｂでの冷媒と空気との熱交換が行われなくなるとともに、送風が停止する。そのため、複数の吹出口２２０ａおよび２２０ｂから吹き出される空気の風量を個別に運転させる際の異常を抑制することができる。
【００６８】
また、制御装置３は、選択運転を行う場合に、選択されていない吹出口２２０ａまたは２２０ｂに設けられたフラップ２４０ａまたは２４０ｂを閉じる。これにより、選択されていない吹出口２２０ａまたは２２０ｂに通じる風路２３０ａまたは２３０ｂの出口が遮断されるため、より確実に選択運転を行うことができる。
【００６９】
さらに、空気調和機１００は、リモートコントローラ４をさらに備える。これにより、通常運転または選択運転とのいずれかの運転をユーザが指示することができる。
【００７０】
以上、本発明の実施の形態１について説明したが、本発明は、上述した本発明の実施の形態１に限定されるものではなく、本発明の要旨を逸脱しない範囲内で様々な変形や応用が可能である。上述した例では、一部の吹出口のみから空気を吹き出す片側運転を行う場合について説明したが、例えば、ユーザからの指示に基づき、室内送風機の回転数を変化させ、それぞれの吹出口からの空気の風量を異ならせるようにしてもよい。
【００７１】
また、上述した例では、２つの吹出口が設けられた場合の片側運転について説明したが、吹出口の数は２つに限られない。例えば、３つ以上の複数の吹出口が設けられた場合でも、それぞれの吹出口に対応する室内熱交換器、室内送風機および電磁弁を設けることにより、本実施の形態１と同様に片側運転を行うことができる。
【符号の説明】
【００７２】
１  室外機、２  室内機、３  制御装置、４  リモートコントローラ、１１  圧縮機、１２  冷媒流路切替装置、１３  室外熱交換器、１４  膨張弁、２１ａ、２１ｂ  室内熱交換器、２２ａ、２２ｂ  電磁弁、２３ａ、２３ｂ  電磁弁、２４ａ、２４ｂ  室内送風機、３１  運転決定部、３２  動作制御部、４１  操作部、４２  表示部、１００  空気調和機、２００  本体、２１０  吸込口、２２０ａ、２２０ｂ  吹出口、２３０ａ、２３０ｂ  風路、２４０ａ、２４０ｂ  フラップ。
【図１】
2019087353.tif 000003
【図２】
2019087353.tif 000004
【図３】
2019087353.tif 000005
【図４】
2019087353.tif 000006
【手続補正書】
【提出日】令和1年12月10日(2019.12.10)
【手続補正１】
【補正対象書類名】明細書
【補正対象項目名】０００７
【補正方法】変更
【補正の内容】
【０００７】
本発明の空気調和機は、異なる複数の方向にそれぞれ空気を吹き出す複数の吹出口と、複数の前記吹出口に対応してそれぞれ設けられ、並列に接続された複数の室内熱交換器と、複数の前記室内熱交換器の冷媒の出入口側にそれぞれ設けられ、前記冷媒の通過および遮断を行う複数の電磁弁と、複数の前記吹出口に対応してそれぞれ設けられた複数の送風機とを有する室内機と、複数の前記吹出口のうち選択された吹出口から空気を吹き出す選択運転を行う場合に、選択されていない吹出口に対応する前記室内熱交換器の入口側に設けられた前記電磁弁を閉じた後に前記室内熱交換器の出口側に設けられた前記電磁弁を閉じるとともに、選択されていない前記吹出口に対応する送風機を停止させる制御装置とを備えるものである。
【手続補正２】
【補正対象書類名】特許請求の範囲
【補正対象項目名】全文
【補正方法】変更
【補正の内容】
【特許請求の範囲】
【請求項１】
異なる複数の方向にそれぞれ空気を吹き出す複数の吹出口と、
複数の前記吹出口に対応してそれぞれ設けられ、並列に接続された複数の室内熱交換器と、
複数の前記室内熱交換器の冷媒の出入口側にそれぞれ設けられ、前記冷媒の通過および遮断を行う複数の電磁弁と、
複数の前記吹出口に対応してそれぞれ設けられた複数の送風機と
を有する室内機と、
複数の前記吹出口のうち選択された吹出口から空気を吹き出す選択運転を行う場合に、選択されていない吹出口に対応する前記室内熱交換器の入口側に設けられた前記電磁弁を閉じた後に前記室内熱交換器の出口側に設けられた前記電磁弁を閉じるとともに、選択されていない前記吹出口に対応する送風機を停止させる制御装置と
を備える
空気調和機。
【請求項２】
前記室内機は、
複数の前記吹出口のそれぞれに設けられた複数のフラップをさらに有し、
前記制御装置は、
前記選択運転を行う場合に、選択されていない前記吹出口に設けられた前記フラップを閉じる
請求項１に記載の空気調和機。
【請求項３】
すべての前記吹出口から空気を吹き出す通常運転または前記選択運転とのいずれかの運転を指示するリモートコントローラをさらに備える
請求項１または２に記載の空気調和機。
【国際調査報告】
2019087353.tif 000007
2019087353.tif 000008